(57)【要約】      （修正有）【課題】下半身不自由な障害者のトイレ時において車椅子に乗ったまま一人でトイレが行える車椅子を提供する。【解決手段】車椅子の座席をローラーシート架台６に取り付けたローラーシート２とローラーシート３及び固定シート４で構成し、座席の下にレール１５を設けワイヤースイッチ付きハンドル１８を取り付けた歯車１６とローラーシート架台移動歯車７によってローラーシート架台６を９０度角度を変えられる構造とし、レール１５に沿ってローラーシートを前後に移動出来るようにローラー１２と１４を取り付けて固定ストッパー１３とワイヤーストッパー１１で固定出来るようにした乗ったままトイレが出来る車構成とする。【選択図】図１
2009039488.tif 000002
【特許請求の範囲】
【請求項１】
図１のように、車椅子の座席をローラーシート架台６に取り付けたローラーシート２とローラーシート３及び固定シート４で構成し、座席の下にレール１５を設けワイヤースイッチ付きハンドル１８を取り付けた歯車１６とローラーシート架台移動歯車７によってローラーシート架台６を９０度角度を変えられる構造とし、レール１５に沿ってローラーシートを前後に移動出来るようにローラー１２と１４を取り付けて固定ストッパー１３とワイヤーストッパー１１で固定出来るようにした乗ったままトイレが出来る車椅子。
及び図７のように、車椅子の座席をスライド式ローラーシート架台２９に取り付けたローラーシート２３とスライド出来るローラーシート２４及び固定シート３１で構成し、座席の下にレール３３を設けワイヤースイッチ付きハンドル２８を取り付けたハンドル歯車３２とスライド式ローラーシート架台移動歯車２６によってスライド式ローラーシート架台２９を９０度角度を変えられる構造とし、レール３３に沿ってローラーシートを前後に移動出来るようにローラーを取り付けて固定ストッパー３３をワイヤーストッパー２７で固定出来るようにした乗ったままトイレが出来る車椅子。
【請求項２】
図１１のように、四隅を丸めたレール４２を取り付け、ローラー３６のベアリングローラーシャフト４７に座席シート取り付け金具金具３７を介して座席シート３５とチェーン４６を取り付けチェーン４６の端末は接続しエンドレス状態でローラー３６がレール４２の中を移動出来る構造とし、車椅子を便器の上にセットした後、スイッチロック付きハンドル３９を取り付けたハンドル歯車４０とシャフト４３で連結されたチェーン歯車４１でチェーン４６を回転させて前方に移動させ車椅子の座席シート３５を便器の前面及び下に巻き取る事で排便が出来る車椅子。
及び図１４のように、Ｌ字型のレール４８を取り付け、ローラー３６に座席シート取り付け金具金具３７を介して座席シート３５とチェーン４６を取り付け、チェーン４６の端末はワイヤーで補助ローラー４９を介してワイヤー巻き取りローラー５０に取り付け、ワイヤーを巻き取る事でローラー３６がレール４８の中を前後に移動出来る構造とし、ワイヤー巻き取りローラー５０でワイヤーを巻き取ってチェーン４６を移動させ、座席シート３５を後方に巻き上げて排便が出来る車椅子。
【発明の詳細な説明】
【０００１】
【技術分野】
【０００２】この発明は、下半身不自由な障害者の車椅子に関する。
【背景技術】
【０００３】乗ったままトイレが出来る車椅子がなかった
【発明が解決しようとする課題】
【０００４】  この発明は従来の車椅子では出来なかった、下半身不自由な障害者のトイレ時において車椅子に乗ったまま一人でトイレが行えることを目的としている。
【課題を解決するための手段】
【０００５】この発明を図面に基づいて説明すると、図１のように、車椅子の座席をローラーシート架台６に取り付けたローラーシート２とローラーシート３及び固定シート４で構成し、座席の下にレール１５を設けワイヤースイッチ付きハンドル１８を取り付けた歯車１６とローラーシート架台移動歯車７によってローラーシート架台６を９０度角度を変えられる構造とし、レール１５に沿ってローラーシートを前後に移動出来るようにローラー１２と１４を取り付けて固定ストッパー１３とワイヤーストッパー１１で固定出来るようにした乗ったままトイレが出来る車椅子。
及び図７のように、車椅子の座席をスライド式ローラーシート架台２９に取り付けたローラーシート２３とスライド出来るローラーシート２４及び固定シート３１で構成し、座席の下にレール３３を設けワイヤースイッチ付きハンドル２８を取り付けたハンドル歯車３２とスライド式ローラーシート架台移動歯車２６によってスライド式ローラーシート架台２９を９０度角度を変えられる構造とし、レール３３に沿ってローラーシートを前後に移動出来るようにローラーを取り付けて固定ストッパー３３とワイヤーストッパー２７で固定出来るようにした乗ったままトイレが出来る車椅子。
【発明の効果】
【０００６】この発明は以上説明したように従来の車椅子では下半身不自由な傷害者がトイレを使用する時車椅子から便器に乗り移る事が困難であったがこの車椅子を使用することによって便器に乗り移らなくても自分で操作して車椅子に乗ったままトイレが出来る。
【発明を実施するための最良の形態】
【０００７】以上のように構成された車椅子で一人でトイレを行うシステムを説明する。
図１はローラーシートを取り付けた乗ったままトイレが出来る車椅子の側面図である。
図１のように患者はローラーシートを取り付けた車椅子のローラーシート２とローラーシート３に衣服を着た状態で載っている。
この時ローラーシート２とローラーシート３は固定用ストッパー１３とワイヤーストッパー１１で固定されて通常の車椅子として使用されている。
この状態でトイレを使用する時時は、便器の前に車椅子をセットし、ズボンのベルトを緩めて拡げ躰の重心を固定シート４に移しお尻を少し浮かしてズボン前方に引っ張る事でローラーシート２とローラーシート３の上でズボンを固定シート４まで引き下ろす事が出来る、その後固定シート４に躰の重心を移した状態でハンドル１８のワイヤースイッチを押しワイヤーストッパー１１を解除してそのままハンドル１８を引き上げるとローラーシート２とローラーシート３は９０度回転し図２の状態になる。
その状態で車椅子をバックさせて便器を差し込むと便器の先端に押されてローラーシート全体が前方に押し出され図４のように便器が車椅子の真下にセットされる、この状態で躰の重心を後ろに移し便座の上に直接載る事が出来排便が出来る。
排便完了後は体重を固定シート４に重心を移した状態でズボンを装着し、車椅子を前進させて便器を車椅子から抜き取り、ハンドル１８を後ろに引きローラーシート架台のローラー１２がレール１５の中を後方まで移動しローラー１２がレール１５の最後方に接触した後ハンドル１８を引き下げる事でギャー１６の回転力をギャー７に伝えローラーシート架台６が９０度回転して固定ストッパー１３とワイヤーストッパー１１で固定されて元の状態の戻る。
図７はスライド式ローラーシートを取り付けた車椅子の側面図である。
図７のように患者はローラーシートを取り付けた車椅子のローラーシート２３とスライド出来るローラーシート２４に衣服を着た状態で載っている。
この時ローラーシート２３とスライド式ローラーシート２４は固定用ストッパー３４とワイヤーストッパー２７で固定されて通常の車椅子として使用されている。
この状態でトイレを使用する時は、便器の前に車椅子をセットし、ズボンのベルトを緩めて拡げズボンをローラーシート２３までずり下ろした後、ハンドルロック３０を解除しハンドル２８を前方に押し出す事でローラーシート２３とスライド式ローラーシート２４も前方に押し出され、その後ハンドル２８を手前に引き戻すとスライド式ローラーシート２４は前方に残されたまま図８の状態になる。その後ローラーシート２３と２４の隙間にズボンをさらに前方にずらし、再びハンドル２８を前方に押し出す、この操作を繰り返す事でズボンを膝元まで引き下ろす事が出来る。
その後固定シート３１に躰の重心を移した状態でハンドル２８のワイヤースイッチを押しワイヤーストッパー２７を解除してそのままハンドル２８を押し下げるとローラーシート２３とスライド式ローラーシート２４は９０度回転し図９の状態になる。
その状態で車椅子をバックさせて便器を差し込むと便器の先端に押されてローラーシート架台は前方に押し出され図１０のように便器が車椅子の真下にセットされる、この状態で躰の重心を後ろに移し便器の上に直接載る事が出来て排便が出来る。
排便完了後は固定シート３１に重心を移した状態でズボンを装着し、固定シート３１に重心を移したまま車椅子を前進させて便器を車椅子から抜き取り、ハンドル２８を後ろに引きローラーシートの移動ローラーがレール３３の中を後方まで移動しローラーがレール３３の最後方に接触した後ハンドル２８を引き下げる事でギャー３２で回転力をギャー２６に伝えスライド式ローラーシート架台２９を９０度回転して固定ストッパー３４とワイヤーストッパー２７で固定されて元の状態の戻る。
【実施例】
【０００８】図１はローラーシートを取り付けた乗ったままトイレが出来る車椅子の側面図である。
図１のような車椅子架台１のシャフト幅より少し広いレール１５に固定ストッパー１３を取り付け、ローラー差し込み口を前方にして車椅子の架台と一体になるように取り付ける。
図５は、ローラーシート及び架台の分解図である。
移動ローラー１２と１４を取り付けた取り付け板８のベアリングボックスにローラーシート架台ベアリング１０とハンドル歯車ベアリング１７を填め込み、パイプに円筒形のスポンジマットを接着し軸シャフトに差し込んで回転出来る構造としたローラーシート２及びローラーシート３を取り付けたローラーシート架台の軸シャフト５４をローラーシート架台ベアリング１０に差し込んでローラーシート架台稼働歯車７を取り付け、一緒に回転出来るように取り付ける。
その後、ローラーシート架台稼働歯車７に噛み合うようにハンドル歯車ベアリング１７にワイヤースイッチ付きハンドル１８を取り付けた．ハンドル歯車１６の軸を差し込んで一体構造としてワイヤースイッチ付きハンドル１８を上下させる事でローラーシート架台６が回転するように取り付ける。
次にワイヤーストッパー１１を取り付け板８に差し込んで取り付け、ワイヤースイッチ付きハンドル１８とワイヤーで連結する。
以上のように一体化したローラーシートの移動ロラー１２と１４を図１のような車椅子架台１の座席の下に設けたレール１５に前方から差し込んで取り付ける。
固定シート４は体の重心を移しお尻を浮かせられるようにローラーシート２及び３より少し上に取り付ける。
図７のようなスライド出来るローラーシートを取り付けた車椅子の固定ストッパー３４はローラーシートが固定されたまま前後に移動する事が出来るようにレール１５を跨いで固定するコの字型のストッパーを取り付け板８に取り付ける。
【他の実施形態】
【０００９】図１１は座席シートを前方に巻き取るローラーとチェーンを取り付けた車椅子の側面図である。
図１１のように、四隅を丸めたレール４２を取り付け、ローラー３６のベアリングローラーシャフト４７に座席シート取り付け金具金具３７を介して座席シート３５とチェーン４６を取り付けチェーン４６の端末は接続しエンドレス状態でローラー３６がレール４２の中を移動出来る構造とし、車椅子を便器の上にセットした後、スイッチロック付きハンドル３９を取り付けたハンドル歯車４０とシャフト４３で連結されたチェーン歯車４１でチェーン４６を回転させて前方に移動させ車椅子の座席シート３５を便器の前面及び下に巻き取る事で排便が出来る車椅子。
患者は車椅子を便器の前に移動し後進させて車椅子を便器の上にセットし、その後、固定シー３８に躰の重心を移動させおしりを浮かしてズボンを膝までずり下ろした後、固定シート３８に躰の重心を移動させおしりを浮かしたままスイッチロック付きハンドル３９を上下させ座席シート３５を便器の前面及び下に巻き取って排便する。
固定シート３８を補助ベルト５２に代用する事も出来る、両膝の下に補助ベルト５２を通して、車椅子の肘掛けを跨いで補助ベルトフック５１に引っかけて躰の重心を補助ベルトに移しお尻を浮かせる。
図１４は座席シートを後方に巻き取るローラーとチェーンを取り付けた車椅子の側面図である。
図１４のように、Ｌ字型のレール４８を取り付け、ローラー３６に座席シート取り付け金具金具３７を介して座席シート３５とチェーン４６を取り付け、チェーン４６の端末はワイヤーで補助ローラー４９を介してワイヤー巻き取りローラー５０に取り付け、ワイヤーを巻き取る事でローラー３６がレール４８の中を前後に移動出来る構造とし、ワイヤー巻き取りローラー５０でワイヤーを巻き取ってチェーン４６を移動させ、座席シート３５を後方に巻き上げて排便が出来る車椅子。
患者は車椅子を便器の前に移動し後進させて車椅子を便器の上にセットし、シートベルト５３のベルトを両膝の下に通して反対側の肘掛けのベルトフック５１に引っかけて両膝を座席シート３５より少し上に引き上げた後、躰の重心をシートベルトに移動してお尻を浮かせズボンを膝までずり下ろした後、シートベルト５３に躰の重心を移動させたままおしりを浮かしてワイヤー巻き取りローラー５０で巻き取る事で座席シート３５を後方に巻き上げ排便する。
【産業上の利用可能性】
【０００１０】この発明は以上説明したように従来の車椅子では下半身不自由な傷害者がトイレを使用する時車椅子から便器に乗り移る事が困難であったがこの車椅子を使用することによって便器に乗り移らなくても自分で操作してトイレが出来る、下半身不自由な傷害者用に適している。
【図面の簡単な説明】
【００１１】
【図１】ローラーシートを取り付けた乗ったままトイレが出来る車椅子の側面図である。
【図２】ローラーシート架台を９０度回転させた側面図である。
【図３】ローラーシート架台を９０度回転させたて前方に押し出した側面図である。
【図４】ローラーシート架台を９０度回転させて便器をセットした状態の側面図である。
【図５】ローラーシートの分解図である。
【図６】ローラーシートを取り付けた乗ったままトイレが出来る車椅子の平面図である。
【図７】スライド式ローラーシートを取り付けた車椅子の側面図である。
【図８】スライド式ローラーシート架台をそのまま前方に押し出し引き戻した側面図である。
【図９】スライド式ローラーシート架台を９０度回転させた側面図である。
【図１０】スライド式ローラーシート架台を９０度回転させて便器をセットした状態の側面図である。
【図１１】座席シートを前方に巻き取るローラーとチェーンを取り付けた車椅子の側面図である。
【図１２】座席シートを前方に巻き取るローラーとチェーンを取り付けた車椅子の正面図である。
【図１３】座席シートを前方に巻き取るローラーとチェーンを取り付けた座席の分解図である。
【図１４】座席シートを後方に巻き取るローラーとチェーンを取り付けた車椅子の側面図である。
【符号の説明】
【００１２】１．車椅子架台
２．ローラーシート
３．ローラーシート
４．固定シート
５．後輪
６．ローラーシート架台
７．ローラーシート架台稼働歯車
８．取り付け板
９．後輪車軸
１０．ローラーシート架台ベアリング
１１．ワイヤースイッチストッパー
１２．移動ロラー
１３．ローラーシート架台ストッパー
１４．移動ロラー
１５．移動レール
１６．ハンドル歯車
１７．ハンドル歯車ベアリング
１８．ワイヤースイッチ付きハンドル
１９．前輪
２０．便器シスタンク
２１．便座
２２．便器
２３．ローラーシート
２４．スライド式ローラーシート
２５．連結歯車
２６．スライド式ローラーシート架台稼働歯車
２７．ワイヤースイッチストッパー
２８．ワイヤースイッチ付きハンドル
２９．スライド式ローラーシート架台
３０．ハンドルストッパー
３１．固定シート
３２．ハンドル歯車
３３．移動レール
３４．スライド式ローラーシート架台ストッパー
３５．座席シート
３６．ベアリングローラー
３７．座席シート取り付け金具
３８．固定シート
３９．スイッチロック付きハンドル
４０．ハンドル歯車
４１．チェーン歯車
４２．レール
４３．チェーン歯車回転軸
４４．圧着ボルト
４５．取り付けナット
４６．チェーン
４７．ベアリングローラーシャフト
４８．レール
４９．補助ローラー
５０．ワイヤー巻き取りローラー
５１．補助ベルトフック
５２．補助ベルト
５３．シートベルト
５４．ローラーシート架台の軸シャフト
【図１】
2009039488.tif 000003
【図２】
2009039488.tif 000004
【図３】
2009039488.tif 000005
【図４】
2009039488.tif 000006
【図５】
2009039488.tif 000007
【図６】
2009039488.tif 000008
【図７】
2009039488.tif 000009
【図８】
2009039488.tif 000010
【図９】
2009039488.tif 000011
【図１０】
2009039488.tif 000012
【図１１】
2009039488.tif 000013
【図１２】
2009039488.tif 000014
【図１３】
2009039488.tif 000015
【図１４】
2009039488.tif 000016